(57)【要約】 【課題】一般家庭のトイレ室などにおいて、杖を離せない高齢者や車椅子使用の身障者であっても充分な余裕を持って安心して使用できる開き扉を提供する。【解決手段】  開き扉の表面において、握り部が前記開き扉の動線外にあるとともに、軸線に沿って回転可能であり、上下方向に延在した把手を設ける。使用者は、前記把手を把持し、その状態を保持したまま前記把手の前記軸線を中心とした回転運動によって前記開き扉を開き、前記開き扉で隔離された内部空間へ入る。【選択図】図４
2005344506.tif 000002
【特許請求の範囲】
【請求項１】
前後方に開閉して、使用者の入出を可能ならしめる開き扉であって、
前記開き扉はその表面に付設した、上下方向に延在した把手を有するとともに、前記把手の握り部が前記開き扉の動線外にあるとともに、軸線に沿って回転可能であることを特徴とする、ユニバーサルデザインによる開き扉。
【請求項２】
前記開き扉の裏面における、前記表面に付設した前記把手と対向する位置に板状の押し板が付設されていることを特徴とする、請求項１に記載のユニバーサルデザインによる開き扉。
【請求項３】
前記開き扉は、手前に向かって開放するように構成したことを特徴とする、請求項１又は２に記載のユニバーサルデザインによる開き扉。    
【請求項４】
前記開き扉は、トイレユニット用開き扉であることを特徴とする、請求項１〜３のいずれか一に記載のユニバーサルデザインによる開き扉。
【請求項５】
請求項１〜３のいずれか一に記載の開き扉を具えることを特徴とする、ユニバーサルデザインによるトイレユニット。
【請求項６】
前後方に開閉して、使用者の入出を可能ならしめる開き扉の表面において、握り部が前記開き扉の動線外にあるとともに、軸線に沿って回転可能であり、上下方向に延在した把手を設ける工程と、
前記使用者が、前記把手を把持し、その状態を保持したまま前記把手の前記軸線を中心とした回転運動によって前記開き扉を開き、前記開き扉で隔離された内部空間へ入る工程と、
を具えることを特徴とする、ユニバーサルデザインによる開き扉の使用方法。
【請求項７】
前記開き扉は、手前に向かって開放することを特徴とする、請求項６に記載のユニバーサルデザインによる開き扉の使用方法。
【請求項８】
前記開き扉の裏面において、前記表面に設けた前記把手と対向する位置に板状の押し板を設ける工程と、
前記使用者は前記開き扉を開放して前記内部空間へ入った後、前記押し板を掴んで前記
開き扉を閉じる工程と、
を具えることを特徴とする、請求項６又は７に記載のユニバーサルデザインによる開き扉の使用方法。
【請求項９】
前記使用者は前記押し板を押圧することにより、前記開き扉を前記内部空間から外方へ向けて開放し、前記内部空間より外方へ退室する工程を具えることを特徴とする、請求項８に記載のユニバーサルデザインによる開き扉の使用方法。
【請求項１０】
前記開き扉の裏面において、前記表面に設けた前記把手と対向する位置に板状の押し板
を設ける工程と、
前記使用者は前記押し板を押圧することにより、前記開き扉を前記内部空間から外方へ
向けて開放し、前記内部空間より外方へ退室する工程を具えることを特徴とする、請求項６又は７に記載のユニバーサルデザインによる開き扉の使用方法。
【請求項１１】
前記開き扉はトイレユニット用開き扉であり、前記内部空間はトイレ室であることを特
徴とする、請求項６〜１０のいずれか一に記載のユニバーサルデザインによる開き扉の使用方法。
【発明の詳細な説明】
【技術分野】
【０００１】
本発明は、年齢、体格、人種、障害などに拘わらず、全ての人にとって差別なく便利に且つ安全に使用することができる、ユニバーサルデザインによる開き扉、及びその開き扉の使用方法に関する。
【背景技術】
【０００２】
従来、杖を離すことができない高齢者や車椅子使用の障害者に対してバリアフリー住宅などが提案されて現実に実施されているが、それらは健常者基準の住宅において段差をなくしたり手摺りをつけたりするものが殆どであり全ての人々を満足させるものではなかった。
【０００３】
特に、日常の生活に必須で最も快適さを必要とするトイレは図６に示すように便器１を例えばトイレ室２の奥側の壁面３１を背にして側方の壁面３２、３３に平行になるように配置するのが一般的であり、規格の住宅用のトイレ室は限られた空間を有することから車椅子を持ち込む余裕がなく、車椅子が使用可能な広い空間を有する介護用トイレを設けるにはきわめて大掛かりな工事が必要であった。
【０００４】
また、トイレ室において、高齢者や身障者にとって開き扉の開閉操作は負担であり、殊に、従来の開き扉は開閉時に把手を持ち替える必要があり、この持ち替え動作が身体の保持が容易でない高齢者などにとっては大きな負担となっているばかりか、従来の開き扉は図７に示すように使用者が開き扉５を手前に開くときに、開き扉５の動線Ｍ内に身体が入ってしまいスムーズな開閉動作を妨げている。
【０００５】
さらに、従来のトイレ用の開き扉には内側から施解錠可能な鍵を付けるのが一般的であるが、鍵がかかっているために病変などの事故が発生した場合に迅速な対応がとれない。また、従来のトイレ用開き扉に使用されている把手は図６に示すようにその形状が押して開けるのか引いて開けるのかの判断が容易でなくアフォーダンスが満たされていないという問題もある。
【発明の開示】
【発明が解決しようとする課題】
【０００６】
本発明はこのような実情に鑑みてなされたものであり、一般家庭のトイレ室などにおいて、杖を離せない高齢者や車椅子使用の身障者であっても充分な余裕を持って安心して使用できる開き扉を提供するものである。
【課題を解決するための手段】
【０００７】
上記目的を達成すべく、本発明は、
前後方に開閉して、使用者の入出を可能ならしめる開き扉であって、
前記開き扉はその表面に付設した、上下方向に延在した把手を有するとともに、前記把手の握り部が前記開き扉の動線外にあるとともに、軸線に沿って回転可能であることを特徴とする、ユニバーサルデザインによる開き扉に関する。
【０００８】
本発明の開き扉では、その表面において上下方向に延在した把手が設けられているとともに、前記把手の握り部が軸線に対して回転可能であるとともに、前記開き扉の動線外となるようにして設けている。したがって、使用者は、前記把手の握り部を掴んで例えば手前に引くようにすることによって、前記使用者は前記握り部を掴んだままの状態で何らの妨げもなく、前記開き扉をスムースに開放することができる。これによって、前記使用者が、例えば高齢者や身障者である場合に、前記開き扉の使用負担を軽減することができる。
【０００９】
なお、本発明の一態様においては、前記開き扉の裏面において、前記表面に設けた前記把手と対向する位置に板状の押し板を設けることができる。この場合、前記使用者は前記開き扉を開放して前記内部空間へ入った後、前記押し板を掴んで前記開き扉を閉じるようにすることができる。また、前記使用者は前記押し板を押圧することにより、前記開き扉を前記内部空間から外方へ向けて開放し、前記内部空間より外方へ退室することができる。
【発明の効果】
【００１０】
以上説明したように、本発明によれば、一般家庭のトイレ室などにおいて、杖を離せない高齢者や車椅子使用の身障者など、年齢、体格、人種、障害などに拘わらず、全ての人にとって差別なく便利に且つ安全に使用することができる開き扉を提供することができる。
【発明を実施するための最良の形態】
【００１１】
以下、本発明のその他の特徴及び利点について、発明を実施するための最良の形態に基づいて詳述する。なお、前記従来例と同一部分については同一の符号を用いて説明する。
【００１２】
図１〜図５は、本発明の開き扉を一般家庭のトイレ室２について実施した場合の好ましい実施の形態の一例を示すものである。本例では、便器１が平面長方形のトイレ室２の１つの隅部２１においてその幅方向の中心線Ａが各壁面３１，３２，３３，３４に対して傾斜した状態で配置されているとともに、便器１の斜め前方に位置する壁面３２に斜め格子状の手摺り４が配置されている。また、前記壁面３２に対向する壁面３３にはその前方側に開き扉５が配置されている。
【００１３】
そして、前記壁面３２に配置されている斜め格子状の手摺り４は、図３に示すように、たとえば木材、ステンレスなどの金属或いはこれらの組み合わせた素材などの棒或いはパイプ材に形成され、４５度の角度に傾斜した３つの正方形が、互いに隣接する横方向の角部をレージトング様に連結して一体的に形成された例えば高さが４０ｃｍ程度の手摺り本体４１が、それらの両端及び上下に位置する角部においてそれぞれ付設された取付具４２により壁面３２から所定の距離（例えば６ｃｍ程度）を隔てて取り付けられており、特に上端に位置する３つの角部には球状の所定形状を有する例えば直径が５．５ｃｍ程度の掴み部４３が付設されている。
【００１４】
このように手摺り４は左右対称であるため従来のＬ字型のものと異なり取り付け方向を誤る心配がない。尚、本実施の形態では３つの正方形が互いに隣接する形状としたが、正方形の数はこれに限るものではなく壁面の長さなどに応じて変化させてもよい。
【００１５】
なお、図１および図２中、符号７は壁面３１，３３に配置された縦方向へ延びる短尺棒状の補助手摺りである。
【００１６】
また、本実施の形態では手摺り４の３つの頂角には球状の掴み部４３が付設されているので掴まり歩きをする際にも掴み易い。
【００１７】
また、壁面３２に対向する壁面３３に配置されている開き扉５は、全体の形状は通常トイレ室などに使用されているものとほぼ同様であるが、図４に示すように、開き扉５の表面に設けた把手６の握り部６１を開き扉５の動線Ｍよりも外に配置しているとともに上下方向に延びる把手６の握り部６１が軸線に沿って回転可能とされている。また、開き扉５の裏面には板状の押し板５８がその周囲を開き扉５の裏面から所定の距離を有するように配置されている。
【００１８】
本例においては、図５（ａ）に示すように、開き扉５から把手６が突出しているので使用者は迷うことなく把手６を掴むと手前に引いて開く力を与える。この場合、図１０（ｂ）に示すように、把手６の握り部６１が軸線に沿って回転可能であるとともに、握り部６１が動線Ｍの外方に設けられていることから、前記使用者は、把手６を握ったまま開き扉５を開放し、その内側まで身体を移動することができる。
【００１９】
次いで、図５（ｃ）および（ｄ）に示すように、前記使用者がその身体を開き扉５の内側に移動した後は、押し板５８を掴んで開き扉５を閉じ、前記使用者はトイレ室２内に入るとともに、開き扉を閉じるようにすることができる。
【００２０】
なお、前記使用者がトイレ室２から室外へ出る場合においては、押し板５８は表面が平滑で掴むところがないので、図５（ｅ）に示すように、使用者９は迷わずに押し板５８を手で押したり、あるいは身体で押圧することにより、図５（ｆ）に示すように、開き扉５を外方へ向けて開くようにすることができる。
【００２１】
このように本例における開き扉５は容易且つ少ない労力で開閉操作ができるので、高齢者や身障者のみならず、多数の使用者に対応可能である。特に、把手６は図５に示すように握り部６１を開き扉５の動線Ｍよりも外に配置しているので、図７（ｂ）に示すように、握り部６１を開き扉５の動線Ｍよりも内に配置している従来のものに比べて、開き扉５に対して立つ位置が自然と壁側になり、そのまま把手６を掴んで開き扉５を開いても扉の動線Ｍの邪魔をしないので身体の動きが不要であり、無駄な動きをすることなく開閉操作をすることができる。
【００２２】
以上、本発明を具体例を挙げながら詳細に説明してきたが、本発明は上記内容に限定されるものではなく、本発明の範疇を逸脱しない限りにおいてあらゆる変形や変更が可能である。
【００２３】
例えば、上記具体例においては、本発明の開き扉を家庭規格のトイレ室２に付いて実施した場合を示したが、ユニバーサルデザインを念頭においていることから、駅や高齢者介護施設、或いは各種のパブリックスペースなど不特定多数の人々が使用する場所に設置可能であることはいうまでもない。本発明の開き扉は、上述したトイレユニットなどの他に、各種施設や住宅などにおいても好適に使用することができる。
【図面の簡単な説明】
【００２４】
【図１】本発明の開き扉を具えたトイレ室の一例を示す平面図である。
【図２】図１に示したトイレ室の側面図である。
【図３】図１に示したトイレ室の手摺りを示すもので、（ａ）は正面図、（ｂ）は平面図、（ｃ）は側面図である。
【図４】図１に示したトイレ室における開き扉に関する図であって、（ａ）は表面図であり、（ｂ）は裏面図である。
【図５】図１に示したトイレ室における前記開き扉の使用態様を経時的に示す説明図である。
【図６】従来のトイレ室の一例を示す平面図である。
【図７】図６に示すトイレ室における開き扉の使用態様を説明するための図である。
【符号の説明】
【００２５】
１  便器
２  トイレ室
４  手摺り
５  開き扉
６   把手
３１，３２，３３，３４  壁面
５８  押し板
６１  把手の握り部
子扉
５４  回転軸
【図１】
2005344506.tif 000003
【図２】
2005344506.tif 000004
【図３】
2005344506.tif 000005
【図４】
2005344506.tif 000006
【図５】
2005344506.tif 000007
【図６】
2005344506.tif 000008
【図７】
2005344506.tif 000009